(57)【要約】【課題】  インターホン子機からの呼び出しに対して電話用ＳＩＰを使用して電話端末で応答できるテレビインターホンシステムを提供する。【解決手段】  ＩＰ変換アダプタ３は、電話番号を記憶する電話番号記憶部３ａと、インターホン用ＳＩＰとインターホンコマンドを相互変換するコマンド変換手段３ｂを有し、インターホン親機２とはインターホンコマンドで通信すると共に、ホームゲートウェイ５との間でインターホン用ＳＩＰで通信を実施する。ホームゲートウェイ５は、インターホン用ＳＩＰと電話用ＳＩＰを相互変換するプロトコル変換手段５ａを有し、モニタ付電話端末４と電話用ＳＩＰで通信し、インターホン子機１から呼び出しが成されたらモニタ付電話端末４で呼出音が鳴動し、応答操作することでモニタ１６に映像が表示され、通話が可能となる。【選択図】  図１
2009182642.tif 000002
【特許請求の範囲】
【請求項１】
居住者を呼び出して通話する機能及び来訪者を撮像するカメラを備えたインターホン子機と、前記インターホン子機からの呼び出しに応答する機能及び前記カメラの撮像映像を表示するモニタを備えたインターホン親機と、前記インターホン親機に接続されて通信信号をＩＰ変換するＩＰ変換アダプタと、映像を表示可能なモニタを備えて公衆電話網を介して他の電話端末と通信が可能なモニタ付電話端末と、前記ＩＰ変換アダプタに前記モニタ付電話端末を接続するためのホームゲートウェイとを備え、
前記ＩＰ変換アダプタは、前記モニタ付電話端末を選択するための電話番号を記憶する電話番号記憶部と、前記インターホン親機とインターホンコマンドで通信する一方、前記ホームゲートウェイとはインターホン用ＳＩＰで通信して、前記インターホンコマンドと前記インターホン用ＳＩＰを相互変換するコマンド変換手段を有する一方、
前記ホームゲートウェイは、前記モニタ付電話端末と通信するためにインターホン用ＳＩＰと電話用ＳＩＰを相互変換するプロトコル変換手段を具備して、前記モニタ付電話端末とは電話用ＳＩＰで通信を実施すると共に、前記モニタ付電話端末は、通話路形成制御及び映像出画制御する応答制御手段を有し、
前記インターホン子機から送信された呼出信号は、電話用ＳＩＰに変換されて前記モニタ付電話端末へ送信される一方、前記モニタ付電話端末から返信された電話用ＳＩＰの受信信号は、インターホン用ＳＩＰに変換されて前記ＩＰ変換アダプタに送信され、
前記受信信号を受けた前記ＩＰ変換アダプタは、前記インターホン親機から送信されている呼出音、映像信号を前記モニタ付電話端末に送信し、前記呼出信号を受けた前記モニタ付電話端末は呼出音を鳴動させ、通話操作されたら通話路を形成すると同時に前記モニタに映像を表示させることを特徴とするテレビインターホンシステム。
【請求項２】
前記モニタ付電話端末は、携帯電話であることを特徴とする請求項１に記載のテレビインターホンシステム。
【発明の詳細な説明】
【技術分野】
【０００１】
本発明は、来訪者を映像で確認しながら通話できるテレビインターホンシステムに関し、詳しくは住戸内に設置したインターホン親機以外に、モニタ付電話端末からでも来訪者映像を見ながら応答できるテレビインターホンシステムに関する。
【背景技術】
【０００２】
従来のテレビインターホンシステムにおいて、携帯電話等他の通信機器と通話を可能として、インターホン親機以外の機器を使用してインターホン子機からの呼び出しに対して来訪者映像を見ながら応答を可能としたシステムがある。例えば、特許文献１のシステムは、インターホン子機にインターネットを介して外部親機、或いは電話回線を介して携帯電話を接続可能とし、インターホン子機からの呼び出しに対して外部機器を使用して映像付通話を実施する構成が開示されている。
【特許文献１】特開２００６−１５７６５０号公報
【発明の開示】
【発明が解決しようとする課題】
【０００３】
しかしながら、上記特許文献１のシステムの場合、通信網に接続するためのネットワーク接続装置の構成が複雑であったし、独自のプロトコルにより通信する必要があるため、外部親機の設定に汎用性がなく、通常の電話用ＳＩＰにより通信可能な電話端末を接続しても対応できなかった。
【０００４】
そこで、本発明はこのような問題点に鑑み、インターホン子機からの呼び出しに対して電話用ＳＩＰを使用した通常の電話端末で応答できるテレビインターホンシステムを提供することを目的とする。
【課題を解決するための手段】
【０００５】
上記課題を解決する為に、請求項１の発明は、居住者を呼び出して通話する機能及び来訪者を撮像するカメラを備えたインターホン子機と、インターホン子機からの呼び出しに応答する機能及びカメラの撮像映像を表示するモニタを備えたインターホン親機と、インターホン親機に接続されて通信信号をＩＰ変換するＩＰ変換アダプタと、映像を表示可能なモニタを備えて公衆電話網を介して他の電話端末と通信が可能なモニタ付電話端末と、ＩＰ変換アダプタにモニタ付電話端末を接続するためのホームゲートウェイとを備え、ＩＰ変換アダプタは、モニタ付電話端末を選択するための電話番号を記憶する電話番号記憶部と、インターホン親機とインターホンコマンドで通信する一方、ホームゲートウェイとはインターホン用ＳＩＰで通信して、インターホンコマンドとインターホン用ＳＩＰを相互変換するコマンド変換手段を有する一方、ホームゲートウェイは、モニタ付電話端末と通信するためにインターホン用ＳＩＰと電話用ＳＩＰを相互変換するプロトコル変換手段を具備して、モニタ付電話端末とは電話用ＳＩＰで通信を実施すると共に、モニタ付電話端末は、通話路形成制御及び映像出画制御する応答制御手段を有し、インターホン子機から送信された呼出信号は、電話用ＳＩＰに変換されてモニタ付電話端末へ送信される一方、モニタ付電話端末から返信された電話用ＳＩＰの受信信号は、インターホン用ＳＩＰに変換されてＩＰ変換アダプタに送信され、受信信号を受けたＩＰ変換アダプタは、インターホン親機から送信されている呼出音、映像信号をモニタ付電話端末に送信し、呼出信号を受けたモニタ付電話端末は呼出音を鳴動させ、通話操作されたら通話路を形成すると同時にモニタに映像を表示させることを特徴とする。
【０００６】
この構成によれば、ＳＩＰ仕様のプロトコルを適用できないインターホン子機からの呼び出しに対して、電話用ＳＩＰによる通信機能を有する電話端末で応答することができる。そして、モニタ付電話端末を使用すればインターホン子機からの呼び出しに対して来訪者映像を見ながら応答でき、居住者は電話端末からでも誰が来ているのか把握することができる。
尚、インターホン用ＳＩＰとは、インターホン機器間で通信する際に使用される公知のＳＩＰ（Ｓｅｓｓｉｏｎ  Ｉｎｉｔｉａｔｉｏｎ  Ｐｒｏｔｏｃｏｌ）であり、電話用ＳＩＰとは電話において通常使用されている周知のＳＩＰを言い、インターホン用に設定されたＳＩＰと区別するために電話用ＳＩＰとしている。
【０００７】
請求項２の発明は、請求項１に記載の発明において、モニタ付電話端末は、携帯電話であることを特徴とする。
この構成によれば、外出先からでも映像を見ながら来訪者と通話できるので、便利である。また、不審者に対しては、不在であると認識させずに済むので、防犯に有効となる。
【発明の効果】
【０００８】
本発明によれば、ＳＩＰ仕様のプロトコルを適用できないインターホン子機からの呼び出しに対して、電話用ＳＩＰによる通信機能を有する電話端末で応答することができる。そして、モニタ付電話端末を使用すればインターホン子機からの呼び出しに対して来訪者映像を見ながら応答でき、居住者は電話端末からでも誰が来ているのか把握することができる。
【発明を実施するための最良の形態】
【０００９】
以下、本発明を具体化した実施の形態を、図面に基づいて詳細に説明する。図１は本発明に係るテレビインターホンシステムの一例を示し、１（１ａ，１ｂ）は玄関等の建物外部に設置され、居住者を呼び出して通話するためのインターホン子機、２はインターホン子機１からの呼び出しに応答するためのインターホン親機、３はインターホンコマンドをＩＰ変換するＩＰ変換アダプタ、４（４ａ，４ｂ）は公衆電話網（図示せず）を介して他の電話端末と通信が可能なモニタ付電話端末、５はＩＰ変換アダプタ３にモニタ付電話端末４を接続するためのホームゲートウェイ、６はＩＰネットワークＮを介して他の電話端末と通信を行うためのＳＩＰサーバ、７は携帯電話８と通信するための基地局である。
【００１０】
インターホン子機１は、来訪者を撮像するためのカメラ１１、来訪者が居住者を呼び出すための呼出ボタン１２、通話するためのマイク１３及びスピーカ１４を備えている。インターホン親機２は、インターホン子機１からの呼び出しに応答するための通話ボタン２１、マイク２２及びスピーカ２３、カメラ１１が撮像した映像を表示するモニタ２４を備え、インターホン子機１とインターホン親機２は伝送線Ｌ１で接続されている。そして、インターホン親機２は通信線Ｌ２でＩＰ変換アダプタ３に接続され、インターホンコマンドによる呼出信号や映像信号等が伝送される。尚、インターホンコマンドとは、インターホン機器に応じて専用に設定された汎用性のないコマンドとなっている。
【００１１】
ＩＰ変換アダプタ３は、インターホン親機２を介してインターホン子機１が呼出操作されたら、その呼出信号を所定のモニタ付電話端末４に送信するための電話番号記憶部３ａと、その際インターホン親機２から送信されたインターホンコマンドによる呼出信号をホームゲートウェイ５が認識可能なインターホン用ＳＩＰの呼出信号に変換するコマンド変換手段としてのＩＰ変換アダプタＣＰＵ３ｂを備えている。
【００１２】
また、ホームゲートウェイ５は、インターホン用ＳＩＰ仕様の信号と電話用ＳＩＰ仕様の信号を相互変換するプロトコル変換手段としてのホームゲートウェイＣＰＵ５ａを備え、ＩＰ変換アダプタ３とはインターホン用ＳＩＰで通信し、電話端末４とは電話用ＳＩＰで通信するよう構成されている。
【００１３】
そして、モニタ付電話端末４は、送信された映像情報を出画するためのモニタ１６、電話用ＳＩＰによる通信を実施する電話端末ＣＰＵ１７を備えている。この電話端末ＣＰＵ１７は、電話用ＳＩＰ仕様の呼び出しを受けた場合は、呼出音の鳴動に合わせて呼出元の電話番号をモニタ１６に表示し、映像信号の送信を受けた場合は応答操作後に映像をモニタ１６に表示させる。
【００１４】
また、ＩＰ変換アダプタ３はＬＡＮ等の通信線Ｌ３によりホームゲートウェイ５に接続されている。ホームゲートウェイ５は、住戸内のモニタ付電話端末４に通信線Ｌ４で接続され、更にＩＰネットワークＮを介して携帯電話８等の外部電話端末と通信するためのＳＩＰサーバ６に接続されている。
【００１５】
このように構成されたテレビインターホンシステムは以下のように動作する。先ず、インターホン子機１とインターホン親機２の間の動作を簡単に説明する。インターホン子機１の呼出ボタン１２が押下されると呼び出しが成され、インターホン親機２において呼出音が鳴動する。同時に、カメラ１１が撮像を開始し、撮像した来訪者映像がインターホン親機２に送信されてモニタ２４に表示される。こうして、呼出音に合わせて映像が表示され、呼出音を認識した居住者は、来訪者をモニタ２４により確認でき、通話ボタン２１を押下すれば、引き続き来訪者映像を見ながら応答することができる。
【００１６】
次に、インターホン子機１からの呼出に対して、モニタ付電話端末４で応答する場合の動作を説明する。図２は、この場合のシーケンス図を示し、この図２に基づいて説明する。
図２に示すように、インターホン子機１の呼出ボタン１２が押下されると、インターホン子機１からインターホン親機２に呼出信号（Ｓ１）が送信され、この信号を受けたインターホン親機２からＩＰ変換アダプタ３にインターホン専用のインターホンコマンドから成る呼出信号（Ｓ２）が送られる。
ＩＰ変換アダプタ３は、この呼出信号を受けてＩＰ変換アダプタＣＰＵ３ｂの制御により、電話番号記憶部３ａから呼出先の電話番号を読み取って電話端末を選択し、インターホン用ＳＩＰ仕様の呼出信号に変換してホームゲートウェイ５に送信（Ｓ３）する。尚、ここでは、接続されている２台のモニタ付電話端末４ａ，４ｂ、更にはＩＰネットワークＮを介して通信が可能な携帯端末８のうち、一方のモニタ付電話端末４ａに対して呼出信号が送信されるとする。
【００１７】
呼出信号を受けたホームゲートウェイ５は、ホームゲートウェイＣＰＵ５ａの制御により、受信した呼出信号（Ｓ４）を電話用ＳＩＰの呼出信号に変換し、選択された一方のモニタ付電話端末４ａに送信する。この信号を受信した一方のモニタ付電話端末４ａは、電話用ＳＩＰの受信信号をホームゲートウェイ５に返信（Ｓ５）し、ホームゲートウェイ５がインターホン用ＳＩＰの受信信号に変換してＩＰ変換アダプタ３に送信する（Ｓ６）。
【００１８】
受信信号を受信したＩＰ変換アダプタ３は、インターホン子機１から呼出音（呼出信号）に合わせて送信されている映像信号をホームゲートウェイ５に送信（Ｓ７）し、ホームゲートウェイ５は呼出音のみ一方のモニタ付電話端末４ａに送信する（Ｓ８）。こうしてモニタ付電話端末４ａは、電話端末ＣＰＵ１７の制御で呼出音を鳴動させて呼出状態となる。
【００１９】
この呼出動作により一方のモニタ付電話端末４ａが応答操作されると、電話機ＣＰＵ１７の制御で、電話用ＳＩＰの応答信号がホームゲートウェイ５に送信され（Ｓ９）、インターホン用ＳＩＰの応答信号に変換されてＩＰ変換アダプタ３に送られる（Ｓ１０）。そして、ＩＰ変換アダプタ３から、インターホン親機２が受信可能なインターホンコマンドの応答信号に変換されてインターホン親機２に送信（Ｓ１１）され、インターホン子機１とモニタ付電話端末４ａ間で双方向通話路が形成される。また、同時に、ホームゲートウェイ５と一方のモニタ付電話端末４ａの間で映像伝送路が形成され、インターホン子機１と一方のモニタ付電話端末４ａとの間が通話状態となると共に、モニタ１６にカメラ１１が撮像した来訪者映像が表示される（Ｓ１２）。
【００２０】
その後、通話状態を終了させる為にモニタ付電話端末４ａが終話操作されると、モニタ付電話端末４ａから電話用ＳＩＰの切断信号が送出（Ｓ１３）され、ホームゲートウェイ５からインターホン用ＳＩＰに変換されてＩＰ変換アダプタ３に送られる（Ｓ１４）。そして、この切断信号はＩＰ変換アダプタＣＰＵ３ｂにより、インターホンコマンドの切断信号に変換されてインターホン親機２へ送られる（Ｓ１５）。
同時にインターホン用ＳＩＰの完了信号が生成されて、ホームゲートウェイ５に送信され（Ｓ１６）、ホームゲートウェイ５が電話用ＳＩＰに変換して一方のモニタ付電話端末４ａに送信（Ｓ１７）し、インターホン子機１とモニタ付電話端末４ａ間の通話路、映像路が切断される。こうして待受け状態に戻る。
【００２１】
このように、ＳＩＰ仕様のプロトコルを適用できないインターホン子機からの呼び出しに対して、電話用ＳＩＰによる通信機能を有する電話端末で応答することができる。そして、モニタ付電話端末を使用すればインターホン子機からの呼び出しに対して来訪者映像を見ながら応答でき、居住者は電話端末からでも誰が来ているのか把握することができる。また、応答操作前に映像が表示されないので、通話相手のプライバシーを保護できる。
【００２２】
尚、インターホン子機１と一方の電話端末４ａとの間の呼出・通話について説明したが、インターホン子機１と他方の電話端末４ｂとの間の呼出、通話についても同様の制御で実施される。また、インターホン親機２の制御により、通話状態であっても所定時間ｔ１が経過したら、或いは呼出状態が継続して所定時間ｔ２が経過した場合は、終話制御が実施され、上記モニタ付電話端末４ａによる終話操作と同様の動作を経てインターホン子機１及びインターホン親機２は待受け状態となる。
【００２３】
また、上記実施形態は、同一住戸のインタホン子機１とモニタ付電話端末４と間の通信について説明したが、ＩＰネットワークＮを使用することで外部の電話端末と通話路、映像路を同様の形成でき、モニタ付電話端末４を携帯電話８とすることができる。こうすれば外出先からでも映像を見ながら来訪者と通話でき便利であるし、不審者に対しては不在であると認識させずに済むので、防犯に有効となる。
更に、モニタ付電話端末４を使用した構成を説明したが、モニタ無し電話端末を使用して通話（応答）のみ実施できるのは勿論であるし、集合住宅インターホンシステムにおいても容易に適用できる。
【図面の簡単な説明】
【００２４】
【図１】本発明に係るテレビインターホンシステムの一例を示す構成図である。
【図２】図１のインターホン子機とモニタ付電話端末の間の呼出・通話に関するシーケンス図である。
【符号の説明】
【００２５】
１・・インターホン子機、２・・インターホン親機、３・・ＩＰ変換アダプタ、３ａ・・電話番号記憶部、３ｂ・・ＩＰ変換アダプタＣＰＵ（コマンド変換手段）、４（４ａ，４ｂ）・・モニタ付電話端末、５・・ホームゲートウェイ、５ａ・・ホームゲートウェイＣＰＵ（プロトコル変換手段）、８・・携帯電話、１６・・・モニタ、１７・・電話端末ＣＰＵ（応答制御手段）。
【図１】
2009182642.tif 000003
【図２】
2009182642.tif 000004